(57)【特許請求の範囲】
【請求項１】
柄部（２）を半割とした半割形本体（６，６）を形成し、半割形本体（６，６）の内面の中央長手方向に鉛筆の芯と同じ太さの細孔の半割溝（５）を形成し、次いで両半割形本体（６，６）を接合し、柄部（２）の正面から半割溝によって形成された細孔に沿ってドリルで細孔よりも太い穴をあけ、その穴に耳かき本体（１）を挿入し接着剤で柄部（２）に固着することを特徴とする耳かきの製造方法。
【請求項２】
柄部（２）を半割とした半割形本体（６，６）を形成し、半割形本体（６，６）の内面の中央長手方向に鉛筆の芯と同じ太さの細孔の半割溝（５）を形成し、次いで両半割形本体（６，６）を接合し、柄部（２）の正面から半割溝によって形成された細孔に沿ってドリルで細孔よりも太い穴をあけ、その穴に耳かき本体（１）を挿入し接着剤で柄部（２）に固着して製造される耳かきであって、金属製の細長い耳かき本体（１）の一端に木製の柄部（２）が結合され、柄部（２）の断面形状は円形又は四角形乃至八角形の正多角形であり、柄部（２）の最大外径は６．５ｍｍ乃至１１ｍｍであって、耳かき本体（１）は柄部（２）の先端に取り付けられており、柄部（２）の先端部すなわち前記耳かき本体（１）との境は傾斜角度αが８度乃至３０度の円錐形傾斜面（３）に形成されていることを特徴とする耳かき。
【発明の詳細な説明】
【０００１】
【発明の属する技術分野】
本発明は家庭で使用される耳かきに関する。
【０００２】
【従来の技術】
従来、一般家庭で使用される耳かきは細長い竹で一体に形成されたものが使用され、そのほかに金属で細長く一体に形成されたものが使用されていた。
【０００３】
【発明が解決しようとする課題】
従来の耳かきは上述のような構成であって、細長い竹製のものも細長い金属製のものも共に細く形成されていたから、使用時にやや握り具合が良くないという欠点があった。また、柄部が細長いので柄部の表面に文字などを書き入れることができなかった。本発明は、使用時に握り易く且つ柄部の表面に文字などを書き入れることにより宣伝用に配布することも可能な耳かきを提供することを目的とする。
【０００４】
本発明の請求項１の構成は、柄部（２）を半割とした半割形本体（６，６）を形成し、半割形本体（６，６）の内面の中央長手方向に鉛筆の芯と同じ太さの細孔の半割溝（５）を形成し、次いで両半割形本体（６，６）を接合し、柄部（２）の正面から半割溝によって形成された細孔に沿ってドリルで細孔よりも太い穴をあけ、その穴に耳かき本体（１）を挿入し接着剤で柄部（２）に固着する耳かきの製造方法である。また、請求項２の構成は、柄部（２）を半割とした半割形本体（６，６）を形成し、半割形本体（６，６）の内面の中央長手方向に鉛筆の芯と同じ太さの細孔の半割溝（５）を形成し、次いで両半割形本体（６，６）を接合し、柄部（２）の正面から半割溝によって形成された細孔に沿ってドリルで細孔よりも太い穴をあけ、その穴に耳かき本体（１）を挿入し接着剤で柄部（２）に固着して製造される耳かきであって、金属製の細長い耳かき本体（１）の一端に木製の柄部（２）が結合され、柄部（２）の断面形状は円形又は四角形乃至八角形の正多角形であり、柄部（２）の最大外径は６．５ｍｍ乃至１１ｍｍであって、耳かき本体（１）は柄部（２）の先端に取り付けられており、柄部（２）の先端部すなわち前記耳かき本体（１）との境は傾斜角度αが８度乃至３０度の円錐形傾斜面（３）に形成されている構成である。
【０００５】
【発明の効果】
請求項１の構成は、柄部２を半割とした半割形本体６，６を形成し、半割形本体６，６の内面の中央長手方向に鉛筆の芯と同じ太さの細孔の半割溝５を形成し、次いで両半割形本体６，６を接合し、柄部２の正面から半割溝によって形成された細孔に沿ってドリルで細孔よりも太い穴をあけ、その穴に耳かき本体１を挿入し接着剤で柄部２に固着する耳かきの製造方法である。耳かき本体１は鉛筆の芯よりもやや太めに形成するので、そのままの状態では耳かき本体１を半割溝５によって形成された細孔に挿入することができない。そこで、柄部の正面からドリルによってやや太めの穴をあけて耳かき本体１を挿入する。柄部にあらかじめ半割溝６，６によって形成された細孔をあけておくことにより、ドリルはこの細孔に沿って進むから、ドリルが途中で曲がって進む虞がないという効果を奏する。もしも細孔が存在しないと、ドリルは木の筋の影響を受けて途中で曲がって進む虞があるので、あらかじめ細孔を設けることは耳かき本体１をまっすぐに取付けるために有効な手段である。なお、請求項１の発明にあっては細孔は柄部２の全長に亘って設けられている必要はなく、先端から始まる一部分であっても差し支えない。しかし、鉛筆を製造するときは細孔を全長に亘って設けるから、本発明でもそのようなものを使用すれば、鉛筆の材料をそのまま利用することができる。したがって、新たな装置を必要としない。
【０００６】
請求項２の構成は、請求項１と同じ効果を奏すると共に、、柄部２は木で形成され、柄部２の断面形状は円形又は四角形乃至八角形の正多角形であり、柄部２の最大外径は６．５ｍｍ乃至１１ｍｍである。この断面形状及びサイズは鉛筆とほとんど同じものである。すなわち、本発明は鉛筆の木製の軸をほとんどそのまま耳かきの柄部に利用したものであって、一つの用途発明である。本発明の柄部２の最大外径のサイズは従来の耳かきに比べて予想をはるかに超えるほど太いものであるが、鉛筆は長い歴史を経て最も握り易いサイズが出来上がったものと考えられるから、本発明も鉛筆と同じように握って使用するものとして、鉛筆の木製の軸を別の用途に利用したものである。したがって、本発明の耳かきは使用時に非常に握り易いという効果を奏する。
【０００７】
また、鉛筆はその表面に文字などを書き入れて広告宣伝用に配布することができる。ところが、従来の耳かきは非常に細いので柄部に文字を書き入れることができなかった。本発明の耳かきの柄部２のサイズは上述したとおりのものであるから、鉛筆と同様に広告宣伝用の文字を書き入れることができる。
【０００８】
さらに、本発明の請求項２の耳かきの柄部２の先端部すなわち耳かき本体１との境は傾斜角度が８度乃至３０度の円錐形傾斜面３に形成されている。この傾斜面３は、ちょうど鉛筆を回転式の鉛筆削り機で削ったときの形状である。そして、使用者の好みでこの傾斜面に指をあてがって鉛筆を使用する場合がある。本発明でも柄部２の先端部は削った鉛筆と同様の傾斜面３が形成されているから、この傾斜面３に指をあてがうことを好む使用者の要求に応えることができる。そして、傾斜面３の傾斜角度が８度乃至３０度の範囲では、使用時にその傾斜面３に指をあてがったときに違和感がなく非常に握り易いという効果を奏する。
【０００９】
【発明の実施の形態】
次に、本発明の実施の形態を図面に従って説明する。耳かき本体１は金属で細長く形成され先端にかき取り部４が設けられている。このかき取り部４は３個のフランジが間隔をあけて並べられたものである。本発明においてかき取り部４の構成はこれに限定されるものではなく、スプ−ンのようなかき取り部であっても差支えないことは勿論である。耳かき本体１の露出長さは３ｃｍ程度が好ましいが、これに限定されるものではない。
【００１０】
柄部２は木製であって断面が円形の細長い形状に形成されている。本発明において柄部２の断面形状は円形に限定されるものではなく、正四角形、正五角形、正六角形あるいは正八角形の正多角形であってもよい。柄部の断面形状が正多角形であるときは、多角形の各角はやや丸味を付けて握り易くする。柄部２の最大外径ｄは６．５ｍｍ〜１１ｍｍであって、好ましくは７．５ｍｍ〜８．５ｍｍである。この好ましい外径は、通常使用されている普通の鉛筆の外形とほぼ同じであり、非常に握り易い太さである。また、柄部２の長さはほぼ１２ｃｍ程度が好ましいが、本発明はこれに限定されないことは勿論である。
【００１１】
柄部２の先端部すなわち耳かき本体１との境は傾斜角度αが８度〜３０度の円錐形傾斜面３に形成されている。好ましくは傾斜角度αが１２度〜１８度の傾斜面に形成する。この傾斜面３は、鉛筆を回転式の鉛筆削り機で削ったときに形成される傾斜面と同じものである。ただし、傾斜面３の先端がそのまま耳かき本体１まで延在すると、その先端がすぐに破損する虞があるので、傾斜面の先端は垂直にカットして小さな平面部を形成させた方が好ましい。
【００１２】
柄部２の表面は木質感を出すために透明なニスなどの塗料で塗布されている。また、円錐形の傾斜面３及び柄部２の後端面は木の筋に対して平行でないから滑らかな面とならないので、それらの面には合成樹脂塗料が塗布されている。
【００１３】
柄部２は、最初は断面が半円形の２個の半割形本体６，６に形成し、それらを接合することによって柄部２を製造する。傾斜面３は当初の半割形本体に形成されている。２個の半割形本体６，６を接合して形成された柄部２の先端からドリルで穴をあけて、その中に耳かき本体１を挿入し接着剤で柄部２に固着する。
【００１４】
半割形本体６の内面には、その中央長手方向に鉛筆の芯と同じ太さの半割り溝５を形成しておくと、半割形本体６，６を接合して柄部２を形成したときにその中心を鉛筆の芯と同じ太さの細孔が貫通する。耳かき本体１は鉛筆の芯よりもやや太めに形成するので、そのままの状態では耳かき本体１を細孔に挿入することができない。そこで、柄部２の正面からドリルによってやや太めの穴をあけて耳かき本体１を挿入する。柄部２にあらかじめ細孔をあけておくことにより、ドリルはこの細孔に沿って進むから、ドリルが途中で曲がって進む虞がないという効果を奏する。もしも細孔が存在しないと、ドリルは木の筋の影響を受けて途中で曲がって進む虞があるので、あらかじめ細孔を設けることは耳かき本体１をまっすぐに取付けるために有効な手段である。請求項１の発明にあっては半割溝５によって形成された細孔は柄部２の全長に亘って設けられている必要はなく、先端から始まる一部分であっても差し支えない。しかし、鉛筆を製造するときは細孔を全長に亘って設けるから、本発明でもそのようなものを使用すれば、鉛筆の材料をそのまま利用することができる。したがって、新たな装置を必要としない。
【図面の簡単な説明】
【図１】  本発明の正面図
【図２】  柄部の断面形状
【図３】  柄部の断面形状の他の実施例
【図４】  柄部の断面形状の他の実施例
【図５】  柄部の半割形本体の正面図
【図６】  図５の断面形状
【符号の説明】
１  耳かき本体        ２  柄部        ３  傾斜面        ４  かき取り部
５  半割溝      ６  半割形本体
【図１】
0003947281.tif 000002
【図２】
0003947281.tif 000003
【図３】
0003947281.tif 000004
【図４】
0003947281.tif 000005
【図５】
0003947281.tif 000006
【図６】
0003947281.tif 000007